(57)【要約】  【課題】係合解除ボタンを押すことによって、２つの機器をワンタッチで着脱できる接続アダプタにおいて、誤って係合解除ボタンを押しても２つの機器が分離しないようにする。  【解決手段】被係合部（８）に係合する係合部（２２）を設けた係合ピン（２０）と、係合ピンが挿入されたピン孔（１６）と、係合ピンの前端突出部（２６）に固定された係合解除ボタン（３０）とを備え、係合解除ボタンを押し込むことによって前記係合部と前記被係合部との係合を解除する接続アダプタ（１０）において、係合解除ボタンの裏側にスライド可能なスライドストッパー（５０）を備え、スライドストッパーが一方位置にあるときは、スライドストッパーの脚（５４）とピン孔の縁が衝突して係合解除ボタンを押し込むことができず、スライドストッパーが他方位置にあるときは前記脚がピン孔内に進入可能になって、係合解除ボタンを押し込むことができるようにする。  【選択図】図２
2008216007.tif 000002
【特許請求の範囲】
【請求項１】
２つの機器の一方の機器に接続された接続部と、他方の機器に設けられた被係合部が挿入される係合孔と、前記被係合部に係合する係合部を設けた係合ピンと、該係合ピンが挿入されたピン孔と、前記係合ピンの前端突出部に固定された係合解除ボタンとを備え、該係合解除ボタンを押し込むことによって前記係合部と前記被係合部との係合を解除することができる接続アダプタにおいて、
前記係合解除ボタンの裏側にスライド可能なスライドストッパーを備え、該スライドストッパーには前記ピン孔に進入可能な脚が設けられ、該脚には偏心して長孔が開けられ、前記係合ピンの細くされた前端突出部が前記長孔を貫通しており、
前記スライドストッパーが一方位置にあるときは、前記脚と前記ピン孔の縁が衝突して前記係合解除ボタンを押し込むことができず、前記スライドストッパーが他方位置にあるときは前記脚が前記ピン孔内に進入可能になって前記係合解除ボタンを押し込むことができることを特徴とする接続アダプタ。
【請求項２】
前記脚が前記ピン孔の内径よりわずかに小さな直径の円の両側を切断した断面形状をしていることを特徴とする請求項１に記載の接続アダプタ。
【請求項３】
指当て部と該指当て部から突出する脚とを有するロック解除ボタンを備え、前記係合解除ボタンには長孔が設けられ、前記ロック解除ボタンの脚が前記係合解除ボタンの長孔に挿通され、前記ロック解除ボタンの脚に前記スライドストッパーが固着されたことを特徴とする請求項１又は２に記載の接続アダプタ。
【請求項４】
前記スライドストッパーがスライドストッパー復元バネによって前記一方位置に向けて付勢されていることを特徴とする請求項３に記載の接続アダプタ。
【請求項５】
２つの機器の一方の機器に接続された接続部と、他方の機器に設けられた被係合部が挿入される係合孔が設けられた本体と、前記係合部と前記被係合部との係合を解除する係合解除ボタンとを備え、該係合解除ボタンを押し込むことによって前記係合を解除する接続アダプタにおいて、
前記係合解除ボタンの裏側にスライド可能なスライドストッパーを備え、前記本体の前面に窪みを設け、
前記スライドストッパーが一方位置にあるときに前記係合解除ボタンを押しても前記スライドストッパーが前記窪みに進入できず、前記スライドストッパーが他方位置にあるときに前記係合解除ボタンを押すと前記スライドストッパーが前記窪みに進入できるようにしたことを特徴とする接続アダプタ。
【発明の詳細な説明】
【技術分野】
【０００１】
本発明は、反射プリズムをポール等に着脱自在に固定するように、２つの測量機器を互いに着脱自在に固定するための接続アダプタに関する。
【背景技術】
【０００２】
最近、反射プリズムやガイド光投光器付きリモコン装置やポール等の測量機器をワンタッチで着脱するために、図８に示したような接続アダプタ１０Ａが用いられる（下記非特許文献１参照）。
【０００３】
この接続アダプタ１０Ａは、まず、一方の測量機器（反射プリズム）２に適宜接続具４で固定される。また、この接続アダプタ１０Ａには、他方の測量機器（ガイド光投光器付きリモコン装置）６に設けられた被係合部８が挿入される図示しない係合孔と、被係合部８に係合離脱可能な図示しない係合部を備えている。
【０００４】
接続アダプタ１０Ａの前面には係合解除ボタン３が設けられていて、係合解除ボタン３を指で押すと、接続アダプタ１０Ａの図示しない係合部が被係合部８のじゃまにならない位置に移動し、被係合部８を接続アダプタ１０Ａの係合孔に挿入できる。係合解除ボタン３から指を離すと、接続アダプタ１０Ａの係合部が被係合部８に係合するように図示しないバネで移動させられ、２つの測量機器はワンタッチで確実に固定される。
【０００５】
２つの測量機器を分離するときは、係合解除ボタン３を指で押すと、前記係合部が前記被係合部８から外れて、両者をワンタッチで分離できる。
【０００６】
【非特許文献１】（株）ソキア、ＳＲＸアクセサリーリスト２００６年１０月版
【発明の開示】
【発明が解決しようとする課題】
【０００７】
ところで、前非記特許文献１に開示された接続アダプタの係合解除ボタン３には、測定作業中に作業者の手が触れたり、他の物体が振れたりすることがある。軽く振れただけでは、係合解除ボタン３は押込めないようにばね付勢されているが、運搬時等に誤って係合解除ボタン３付近を強く握って、係合解除ボタン３を押し込んでしまうことも考えられなくはない。このようなときには、２つの測量機器が分離し、高価な測量機器を落下させて破損するという問題を起こすことが予想される。
【０００８】
本発明は、前記問題に鑑みてなされたもので、係合解除ボタンを押すことによって、２つの機器をワンタッチで着脱できる接続アダプタにおいて、誤って係合解除ボタンを押しても、２つの機器が分離しないようにすることを課題とする。
【課題を解決するための手段】
【０００９】
上記の課題を解決するため、請求項１に係る発明では、２つの機器の一方の機器に接続された接続部と、他方の機器に設けられた被係合部が挿入される係合孔と、前記被係合部に係合する係合部を設けた係合ピンと、該係合ピンが挿入されたピン孔と、前記係合ピンの前端突出部に固定された係合解除ボタンとを備え、該係合解除ボタンを押し込むことによって前記係合部と前記被係合部との係合を解除することができる接続アダプタにおいて、前記係合解除ボタンの裏側にスライド可能なスライドストッパーを備え、該スライドストッパーには前記ピン孔に進入可能な脚が設けられ、該脚には偏心して長孔が開けられ、前記係合ピンの細くされた前端突出部が前記長孔を貫通しており、前記スライドストッパーが一方位置にあるときは、前記脚と前記ピン孔の縁が衝突して前記係合解除ボタンを押し込むことができず、前記スライドストッパーが他方位置にあるときは前記脚が前記ピン孔内に進入可能になって前記係合解除ボタンを押し込むことができることを特徴とする。
【００１０】
請求項２に係る発明では、請求項１に係る発明において、前記脚が前記ピン孔の内径よりわずかに小さな直径の円の両側を切断した断面形状をしていることを特徴とする。
【００１１】
請求項３に係る発明では、請求項１又は２に係る発明において、指当て部と該指当て部から突出する脚とを有するロック解除ボタンを備え、前記係合解除ボタンには長孔が設けられ、前記ロック解除ボタンの脚が前記係合解除ボタンの長孔に挿通され、前記ロック解除ボタンの脚に前記スライドストッパーが固着されたことを特徴とする
【００１２】
請求項４に係る発明では、請求項３に係る発明において、前記スライドストッパーがスライドストッパー復元バネによって前記一方位置に向けて付勢されていることを特徴とする。
【００１３】
請求項５に係る発明では、２つの機器の一方の機器に接続された接続部と、他方の機器に設けられた被係合部が挿入される係合孔が設けられた本体と、前記係合部と前記被係合部との係合を解除する係合解除ボタンとを備え、該係合解除ボタンを押し込むことによって前記係合を解除する接続アダプタにおいて、前記係合解除ボタンの裏側にスライド可能なスライドストッパーを備え、前記本体の前面に窪みを設け、前記スライドストッパーが一方位置にあるときに前記係合解除ボタンを押しても前記スライドストッパーが前記窪みに進入できず、前記スライドストッパーが他方位置にあるときに前記係合解除ボタンを押すと前記スライドストッパーが前記窪みに進入できるようにしたことを特徴とする。
【発明の効果】
【００１４】
請求項１に係る発明によれば、スライドストッパーの脚には偏心して長孔が設けられていて、係合ピンの細くされた前端突出部が前記長孔を貫通しているから、スライドストッパーは、係合解除ボタンの裏側に配置されていても、係合ピンの前端突出部にじゃまされずに、係合解除ボタンに対してスライド可能となる。そして、スライドストッパーが係合解除ボタンの裏側にスライド可能に備えられ、さらに、スライドストッパーにはピン孔に進入可能な脚が設けられ、スライドストッパーが一方位置にあるときは、スライドストッパーの脚とピン孔の縁が衝突して、係合解除ボタンを押し込むことができないようになっているから、運搬時等に接続アダプタ付近を強く握ったとき等に、誤って係合解除ボタン強く押しても、２つの機器の分離が防止される。一方、スライドストッパーが他方位置にあるときは、スライドストッパーの脚がピン孔内に進入可能になって、係合解除ボタンを押し込むことができるので、従来どおりにワンタッチで２つの機器の着脱が可能である。これにより、本発明の接続アダプタは、ワンタッチで２つの機器の着脱が可能であるうえ、２つの機器を誤って分離することが防止され、高価な機器を誤って落下させて破損することを防ぐことができる。しかも、従来の接続アダプタにスライドストッパーを取り付けるという簡単な改造だけで済むから、この接続アダプタの製造は容易でコスト増加も少ない。
【００１５】
請求項２に係る発明によれば、さらに、前記スライドストッパーの脚が前記ピン孔の内径よりわずかに小さな直径の円の両側を切断した断面形状を有しているから、前記脚の長手方向のみ高精度に製造すればよく、いっそう製造が容易でコスト増加も少ない。
【００１６】
請求項３に係る発明によれば、さらに、指当て部と該指当て部から突出する脚とを有するロック解除ボタンを備え、係合解除ボタンには長孔が設けられ、ロック解除ボタンの脚が係合解除ボタンの長孔に挿通され、ロック解除ボタンの脚にスライドストッパーが固着されたから、ロック解除ボタンを他方位置に向けて押したときだけ、スライドストッパーが他方位置へスライドして、このときだけ係合解除ボタンを押込むことができるので、いっそう確実に２つの機器の分離を防止できる。しかも、新たな部品はスライドストッパーとロック解除ボタンだけであり、係合解除ボタンに若干の改造を施すだけの簡単な構成であるから、さらに製造が容易でコスト増加も少ない。
【００１７】
請求項４に係る発明によれば、さらに、スライドストッパーがスライドストッパー復元バネによって前記一方位置に向けて付勢されているから、通常は係合解除ボタンを押し込めない状態になっていて、尚いっそう確実に２つの機器の分離を防止できる。
【００１８】
請求項５に係る発明によれば、係合解除ボタンの裏側にスライド可能なスライドストッパーを備え、本体の前面に窪みを設けて、スライドストッパーが一方位置にあるときに係合解除ボタンを押してもスライドストッパーが窪みに進入できず、スライドストッパーが他方位置にあるときに係合解除ボタンを押すとスライドストッパーが窪みに進入できるようにしたから、請求項１に係る発明と同様に、ワンタッチで２つの機器の着脱が可能であるうえ、２つの機器を誤って分離することを防止し、高価な機器を誤って落下させて破損することを防ぐことができる。
【発明を実施するための最良の形態】
【００１９】
以下、添付図面に基づいて、本発明に係る接続アダプタの実施の形態を詳細に説明する。まず、図１〜図６に基づいて、本発明の第１の実施例に係る接続アダプタについて説明する。図１は、この接続アダプタの使用例を示す斜視図である。図２は、２つの機器が接続状態のときのこの接続アダプタの平断面図である。図３は、図２におけるIII−III線に沿う断面図である。図４は、２つの機器が着脱可能な状態のときのこの接続アダプタの平断面図である。図５は、図４におけるＶ−Ｖ線に沿う断面図である。図６は、この接続アダプタの主要部の分解斜視図である。
【００２０】
本実施例の接続アダプタ１０は、図１に示したように、反射プリズム２と、図示しない測量機に反射プリズム２の位置を知らせる光を出射するとともに遠隔操作できるガイド光投光器付きリモコン装置６と、ポール７等の複数の測量機器を互いに着脱自在に接続するために使用される。
【００２１】
図２〜図６に示されたように、この接続アダプタ１０は、一方の測量機器に設けられた被係合部８が挿入される係合孔１２を有する本体１４を有する。本体１４において、係合孔１２が設けられた反対側には、他方の測量機器に接続するための図示しない接続部が固定される。
【００２２】
また、本体１４には、被係合部８と係合可能な係合部２２を備えた係合ピン２０を挿入する一対の円形のピン孔１６が設けられる。係合ピン２０には、被係合部８を通過させるための細径部２４が設けられ、細径部２４の奥側に係合部２２が設けられる。係合ピン２０の奥側端部とピン孔１６の底との間には、係合ピン２０を前方へ押圧する係合バネ２８が配置される。ピン孔１６の適宜個所には、係合ピン２０の抜け止めのための図示しない抜け止め手段が形成される。係合ピン２０の前端には細くされた円形断面の前端突出部２６が設けられる。この前端突出部２６には、係合ピン２０をピン孔１６の奥側へ押込むための係合解除ボタン３０がビス３２によって固定される。係合解除ボタン３０は、図６に示したように、ゴム製のカバー３６で被覆される。
【００２３】
以上の構成は、従来の接続アダプタと略同じである。本実施例の接続アダプタ１０には、さらにロック解除ボタン４０を横方向へ押してスライドさせないと、係合解除ボタン３０を押込めないようにしたロック装置が付いている。以下、このロック装置について詳細に説明する。
【００２４】
このロック装置は、係合解除ボタン３０の裏側に配置されたプラスチック製のスライドストッパー５０と、係合解除ボタン３０の表側に配置されたプラスチック製のロック解除ボタン４０とからなる。
【００２５】
ロック解除ボタン４０は、係合解除ボタン３０に設けられた長孔３４に挿通されて該長孔３４内を摺動する脚４２と、脚４２の表側に設けられた指当て部４４と、指当て部４４の端に設けられた突止め部４６とからなる。指当て部４４の上面には、指を滑り難くするためのＶ字形突起４７が設けられる。係合解除ボタン３０の前面には、指当て部４４を回転しないようにガイドするための浅いスライド溝３８が設けられる。カバー３６にも、スライド溝３８に一致する長孔３８’が設けられる。脚４２はスライドストッパー復元バネ４８によって一方側に押し付けられていて、通常、ロック解除ボタン４０はロック側の一方位置に位置している。
【００２６】
スライドストッパー５０は、ビス５２によってロック解除ボタン４０の脚４２の先端に固定される。スライドストッパー５０の両端には、スライドストッパー５０の長手方向に長軸を有する略長円形断面の脚５４が設けられる。脚５４の長径は、ピン孔１６の内径よりわずかに小さくされている。ただし、脚５４の断面は、厳密な長円形である必要はなく、図３及び図５に示したように、円の両側を切断したような略長円形である。脚５４には、スライドストッパー５０の長手方向に長い長孔５６が開けられている。係合解除ボタン３０が固着される係合ピン２０の前端突出部２６は長孔５６を貫通している。これにより、スライドストッパー５０は、前端突出部２６にガイドされて、長孔５６の長手方向にスライド可能になっている。本体１４の前面には、ビス５２の頭を収容するための窪み１８が設けられる。図３及び図５から分かるように、長孔５６は、脚５４の中心から片側へ偏心して開けられる。
【００２７】
通常、図２及び図３に示したように、スライドストッパー５０は、スライドストッパー復元バネ４８によって一方側に位置している。この位置では、略長円形の脚５４の先端がピン孔１６の縁に当接するので、脚５４をピン孔１６内に押し込み不能になっている。このため、係合解除ボタン３０を押し込むことができず、不用意な誤操作によって、接続されている２つの測量機器を分離させてしまうことはない。
【００２８】
２つの測量機器を接続するときは、図４及び図５に示したように、ロック解除ボタン４０を他方へ押して、スライドストッパー５０を他方位置までスライドさせると、脚５４がピン孔１６に進入可能になって、係合解除ボタン３０を押し込み可能になる。ここで、係合解除ボタン３０を指で押すと、係合ピン２０を係合バネ２８に抗してピン孔１６の奥へ押し込める。すると、係合ピン２０の細径部２４が被係合部８の通過する位置に移動して、係合部２２が被係合部８の移動をじゃましなくなって、被係合部８を係合孔１２の奥まで押込める。ここで、係合解除ボタン３０から指を離せば、係合ピン２０が係合バネ２８によって押し戻されて、被係合部８に係合部２２が係合する。これで、２つの測量機器はワンタッチで確実に接続される。
【００２９】
２つの測量機器を分離するときは、ロック解除ボタン４０を他方へ押しながら、係合解除ボタン３０を指で押して、係合ピン２０を係合バネ２８に抗してピン孔１６の奥へ押し込むと、係合ピン２０の細径部２４が被係合部８の通過する位置に移動して、２つの測量機器をワンタッチで分離させることができる。
【００３０】
本実施例によれば、スライドストッパー５０の脚５４には偏心した長孔５６が設けられていて、係合ピン２０の細くされた前端突出部２６が前記長孔５６を貫通しているから、スライドストッパー５０は、係合解除ボタン３０の裏側に配置されていても、係合ピン２０の前端突出部２６にじゃまされずに、係合解除ボタン３０に対してスライド可能となる。そして、スライドストッパー５０が係合解除ボタン３０の裏側にスライド可能に備えられ、さらに、スライドストッパー５０にはピン孔１６に進入可能な脚５４が設けられ、スライドストッパー５０が一方位置にあるときは、スライドストッパー５０の脚５４とピン孔１６の縁が衝突して、係合解除ボタン３０を押し込むことができないようになっているから、運搬時等に接続アダプタ１０付近を強く握って、誤って係合解除ボタン３０強く押しても、２つの機器の分離が防止される。一方、スライドストッパー５０が他方位置にあるときは、スライドストッパー５０の脚５４がピン孔１６内に進入可能になって、係合解除ボタン３０を押し込むことができるので、従来どおりにワンタッチで２つの機器の着脱が可能である。これにより、本発明の接続アダプタ１０は、ワンタッチで２つの機器の着脱が可能であるうえ、２つの機器を誤って分離することが防止され、高価な機器を誤って落下させて破損しないようにすることができる。
【００３１】
しかも、従来の接続アダプタ１０Ａにロック解除ボタン４０とスライドストッパー５０を取り付けるという簡単な改造だけで済む。すなわち、係合解除ボタン３０に長孔３４とスライド溝３８を設け、ロック解除ボタン４０の脚４２を前記長孔３４に挿通し、前記脚４２にスライドストッパー５０を固着するととともに、カバー３６にも長孔３８’を設けるだけの改造で済む。また、スライドストッパー５０の脚５４をピン孔１６の内径よりわずかに小さな直径の円の両側を切断した断面形状にしたから、脚５４の長手方向のみ高精度に製造するだけでよい。このような訳で、この接続アダプタは、製造が容易でコスト増加も少ない。
【００３２】
さらに、スライドストッパー５０がスライドストッパー復元バネ４８によって常に一方位置に向けて付勢されているから、通常は係合解除ボタン３０を押し込み不能になっていて、尚いっそう確実に２つの機器の分離を防止できる。
【００３３】
次に、図７に基づいて、本発明の第２の実施例について説明する。本発明の接続アダプタ１０も、前記第１の実施例と同様に、ロック解除ボタン４０を横方向に押すことによって、係合解除ボタン３０に対してスライドさせることが可能なスライドストッパー５０’を備える。そして、本体１４の前面には、スライドストッパー５０’が一方位置にあるときは、係合解除ボタン３０を押してもスライドストッパー５０’が本体１４の前面に衝突してしまい、スライドストッパー５０’が他方位置にあるときは、係合解除ボタン３０を押すとスライドストッパー５０’が進入できる窪み１９を備える。ただし、スライドストッパー５０’は、係合解除ボタン３０と本体１４の前面との距離を所定に保つ厚さがあれば、ロック解除ボタン４０の脚４２の先端付近だけの範囲の小さなものでよく、その形状も適宜なものでよい。
【００３４】
本実施例の場合も、前記第１実施例と同様に、ワンタッチで２つの機器の着脱が可能であるうえ、２つの機器を誤って分離することを防止し、高価な機器を落下させて破損しないようにできる。しかも、スライドストッパー５０’は、小さくてもよく、特別な形状も要求されないという利点もある。
【００３５】
ところで、本発明は、前記実施例のみに限られるものではなく、種々の変形が可能である。
【００３６】
例えば、前記第１の実施例では、スライドストッパー５０に一対の脚５４を設けたが、スライドストッパー５０の一端側に脚５４を設けるだけでもよい。
また、前記第１の実施例では、脚５４を略長円形断面としたが、脚５４をピン孔１６の内径よりわずかに小さな直径の円形断面としてもよい。
【００３７】
さらに、前記第１の実施例では、係合解除ボタン３０に長孔３４を設け、ロック解除ボタン４０の脚４２を長孔３４に挿通させ、脚４２にスライドストッパー５０を固着することで、スライドストッパー５０を係合解除ボタン３０にスライド可能に連結したが、これ以外の手段によって、スライドストッパー５０を係合解除ボタン３０に対してスライド可能に連結してもよい。
【００３８】
それから、前記第１の実施例では、スライドストッパー５０をスライドストッパー復元バネ４８によって一方位置に向けて付勢しているが、スライドストッパー復元バネ４８を設けずに、係合解除ボタン３０とスライドストッパー５０のそれぞれに凹部と凸部を設けて、一方位置と他方位置で凹部と凸部を噛み合わせて、その位置にスライドストッパー５０を保持させてもよい。
【図面の簡単な説明】
【００３９】
【図１】本発明の第１実施例に係る接続アダプタの使用例を示す斜視図              である。
【図２】２つの機器が接続状態であるときの前記接続アダプタの平断面              図である。
【図３】図２のIII−III線に沿う断面図である。
【図４】２つの機器が着脱可能な状態の前記接続アダプタの平断面図で              ある。
【図５】図４のＶ−Ｖ線に沿う断面図である。
【図６】前記接続アダプタの主要部の分解斜視図である。
【図７】本発明の第２実施例に係る接続アダプタの主要部の平断面図で              ある。
【図８】従来の接続アダプタの斜視図である。
【符号の説明】
【００４０】
６    ガイド光投光器付きリモコン装置（機器）
７    ポール（機器）
８    被係合部
１０    接続アダプタ
１２    係合孔
１６    ピン孔
１９    窪み
２０    係合ピン
２２    係合部
２６    前端突出部
３０    係合解除ボタン
３４    長孔
４０    ロック解除ボタン
５０、５０’    スライドストッパー
５４    脚
５６    長孔
【図１】
2008216007.tif 000003
【図２】
2008216007.tif 000004
【図３】
2008216007.tif 000005
【図４】
2008216007.tif 000006
【図５】
2008216007.tif 000007
【図６】
2008216007.tif 000008
【図７】
2008216007.tif 000009
【図８】
2008216007.tif 000010